(57)【要約】【課題】ＬＥＤ、太陽電池及び蓄電体を備え、蓄電体の交換や追加を容易に行える自発光式視線誘導灯を提供する。【解決手段】自発光式視線誘導灯は、ＬＥＤ及び太陽電池等の内部ユニット４４が収納された発光・発電部１と、発光・発電部１と分離可能に構成され且つ太陽電池により発電した電気を蓄電すると共にＬＥＤに給電する蓄電体２５が収納された蓄電部２とからなり、発光・発電部１は、路面設置用の支持パイプ５の上方開放部に取り外し自在にセット可能なベース体１０を有すると共に、ベース体１０の上面に内部ユニット４４とそれを包囲する透明ケース１６が一体的に取り付けられ、蓄電部２は、蓄電体２５が収納されるバッテリーケース２１を具備すると共に、バッテリーケース２１は支持パイプ５内に取り出し自在に収納される。【選択図】図２
0003172868.tif 000002
【実用新案登録請求の範囲】
【請求項１】
道路の中央分離帯や路肩等に設置して発光することにより車両運転者や歩行者等の視線を誘導する自発光式視線誘導灯において、
ＬＥＤ及び太陽電池等の内部ユニットが収納された発光・発電部と、前記発光・発電部と分離可能に構成され且つ、前記太陽電池により発電した電気を蓄電すると共にＬＥＤに給電する蓄電体が収納された蓄電部とからなり、
前記発光・発電部は、路面設置用の支持パイプの上方開放部に取り外し自在にセット可能なベース体を有すると共に、前記ベース体の上面に前記内部ユニットとそれを包囲する透明ケースが一体的に取り付けられる構成とし、
前記蓄電部は、蓄電体が収納されるバッテリーケースを具備すると共に、前記バッテリーケースは前記支持パイプ内に取り出し自在に収納される自発光式視線誘導灯。
【請求項２】
請求項１に記載の自発光式視線誘導灯において、
前記支持パイプの側面にピン孔が形成され、
前記ピン孔に落下防止用ピンが挿通され、
前記ピン孔から支持パイプの内方に挿入させた前記落下防止用ピンの挿入部分で、前記バッテリーケースの底面を支持する構成とした自発光式視線誘導灯。
【請求項３】
請求項１又は２に記載の自発光式視線誘導灯において、
前記バッテリーケースの上部に、吊り下げ手段を設ける構成とした自発光式視線誘導灯。
【請求項４】
請求項１〜３のいずれか１項に記載の自発光式視線誘導灯において、
前記蓄電体を一つずつ収納可能な個別ケースが設けられ、
前記個別ケースは、前記バッテリーケースと同径の樹脂製筒体から構成されていると共に、その軸線に沿って所定幅のスリットが上下両端に開放するように形成されてあり、
上下に位置する前記個別ケースの間には、上段の個別ケースのスリットと下段の個別ケースのスリットを嵌め込むリブを有する区画蓋が設けられている自発光式視線誘導灯。
【請求項５】
請求項４に記載の自発光式視線誘導灯において、
前記区画蓋は、個別ケースに内嵌可能な円盤部と、円盤部の外周面に突設されたＣ字状リブと、Ｃ字状リブの開放端相互において円盤部の軸線方向に延長されて個別ケースのスリットが配置される一対の縦リブと、一対の縦リブ間の円盤部外周面に蓄電体の配線が配置される切欠とを有し、
前記円盤部のうち、Ｃ字状リブより上方の上部に個別ケースの下方開放部が配置され、Ｃ次状リブより下方の下部に下段の個別ケースの上方開放部が配置される自発光式視線誘導灯。
【請求項６】
請求項１に記載の自発光式視線誘導灯において、
前記蓄電部は、前記バッテリーケースに代えて蓄電体を保持する吊持手段により構成されて前記支持パイプ内に取り出し自在に収納され、
前記吊持手段は、コ字状に形成されて蓄電体を配置する蓄電体保持部と、蓄電体保持部の上端に支持パイプの上端又は発光・発電部のベース体に引っ掛けられるフック部とを備える自発光式視線誘導灯。
【請求項７】
請求項１〜６のいずれか１項に記載の自発光式視線誘導灯において、
前記発光・発電部のベース体は、前記支持パイプの外径よりも大径な下方開放のスカート部を有し、前記スカート部の側方から前記スカート部内に挿入され且つ前記支持パイプの外周面を押圧する固定部材が設けられている自発光式視線誘導灯。
【考案の詳細な説明】
【技術分野】
【０００１】
本考案は、道路の中央分離帯や路肩等に設置して発光することにより車両運転者や歩行者等の視線を誘導する自発光式視線誘導灯に関する。
【背景技術】
【０００２】
自発光式視線誘導灯は、道路の中央分離帯や路肩等に設置されて自ら発光することにより車両運転者や歩行者等の視線を誘導するものである。図６、図７に示すように、自発光式視線誘導灯１００は、ポール本体１０２内に、ＬＥＤ（発光ダイオード）１０３と、太陽電池１０４と、太陽電池１０４により発電した電気を蓄電すると共にＬＥＤ１０３に給電する蓄電体１０５と、ＬＥＤ１０３の発光パターンや発光の停止及び開始等を制御する制御部（図示せず）とを備えており、前記制御部からの制御信号によってＬＥＤ１０３を点灯又は点滅させることにより、車両運転者等の視線を誘導する。
【０００３】
ポール本体１０２は、円筒状のポールベース１２１の上端に、ポールベース蓋１２２と縦長筒状の透明ケース２００が立設される構成であり、この透明ケース２００の上端には蓋板１２３が取り付けられ、さらに、この蓋板１２３の雄ネジ部２３２にドーム状のトップカバー１２４が螺合されている。
【０００４】
透明ケース２００は、図７に示すように、２つのコ字状ケース半体２０１と、２つの凹所付ケース半体２０２との４部品で構成されている。太陽電池１０４は、四角形状の太陽電池セル１４１を細長いパネル板１４０に複数個添設して細長い板状に形成されてあり、コ字状ケース半体２０１の突片２０１ａの外面と、凹所付ケース半体２０２の凹所２０２ａの内面との間に挟持される。
【０００５】
ＬＥＤ１０３は、細長い板状のＬＥＤ基板１３０に一直線状に複数個並べて取り付けられてあり、図７に示すように、一対の支え板７間に挟まれて設置される。ＬＥＤ基板１３０の上端部に具備させた上側基板受１３１が、支え板７の上端片７１と蓋板１２３によって支持されると共に、その下端部に具備させた下側基板受１３２がポールベース蓋１２２上に支持されている。尚、支え板７は、その下端片７２が、ポールベース蓋１２２を介して、ポールベース１２１の上端部にビス止めされると共に、上端片７１が蓋板１２３にビス止めされることにより、これらポールベース蓋１２２と蓋板１２３の間に固定される。
【０００６】
また、ポールベース１２１は、１個の蓄電体１０５を収容するコップ状の収容部２１１を有し、このコップ状収容部２１１の上端から外方へ延出するフランジ部２１２が形成されている。このフランジ部２１２の下面から下方へ垂下するスカート状筒部２１３に設置用支持パイプ５０の上端を差し込み、ネジ止めすることにより、自発光式視線誘導灯１００は設置用支持パイプ５０に取り付けられて道路等の所定箇所に設置できる構成となっている。
【先行技術文献】
【特許文献】
【０００７】
【特許文献１】実用新案登録第３１３９５９１号公報
【考案の概要】
【考案が解決しようとする課題】
【０００８】
ところが、上記構成の自発光式視線誘導灯では、バッテリーとしての蓄電体１０５を交換したり追加したりするために、ポールベース１２１のコップ状の収容部２１１の上端を開放しなければならず、このためには、図７に示すように、トップカバー１２４及び蓋板１２３を取り外すと共に、続いて、透明ケース２００及びパネル板１４０を分解し、下端片７２の、ポールベース１２１の上端部へのビス止めを取り外さなければならない。このように、収容部２１１の上方を開放するには、ポール本体１０２を分解しなければならないため、収容部２１１内に収納されているバッテリーとしての蓄電体１０５の取り替えや、追加補充が大変面倒であった。
【０００９】
本考案は、上記事情に鑑みてなされたものであり、蓄電体の交換や追加を容易に行える自発光式視線誘導灯を提供することを課題とする。
【課題を解決するための手段】
【００１０】
本考案に係る自発光式視線誘導灯は、
道路の中央分離帯や路肩等に設置して発光することにより車両運転者や歩行者等の視線を誘導する自発光式視線誘導灯において、
ＬＥＤ及び太陽電池等の内部ユニットが収納された発光・発電部と、前記発光・発電部と分離可能に構成され且つ前記太陽電池により発電した電気を蓄電すると共にＬＥＤに給電する蓄電体が収納された蓄電部とからなり、
前記発光・発電部は、路面設置用の支持パイプの上方開放部に取り外し自在にセット可能なベース体を有すると共に、前記ベース体の上面に前記内部ユニットとそれを包囲する透明ケースが一体的に取り付けられる構成とし、
前記蓄電部は、蓄電体が収納されるバッテリーケースを具備すると共に、前記バッテリーケースは前記支持パイプ内に取り出し自在に収納されることである。
【００１１】
上記構成によれば、支持パイプからベース体を取り外せば、発光・発電部全体を一体的に蓄電体から分離することができ、支持パイプの上方を開放することができる。これにより、支持パイプ内のバッテリーケースを、支持パイプの上方開放部から取り出して、バッテリーケース内の蓄電体を交換したリ追加したりすることができる。
【００１２】
上記自発光式視線誘導灯において、
前記支持パイプの側面にピン孔が形成され、
前記ピン孔に落下防止用ピンが挿通され、
前記ピン孔から支持パイプの内方に挿入させた前記落下防止用ピンの挿入部分で、前記バッテリーケースの底面を支持する構成とするのが望ましい。
【００１３】
これにより、バッテリーケースは、ピン孔から内方に突出させた落下防止用ピンによって下方から支持されることから、支持パイプ内でのバッテリーケースの落下防止を実現することができ、安定した状態で収納することができる。また、前記ピン孔を支持パイプの軸線に沿って複数箇所に形成しておけば、支持パイプ内に収納させる蓄電体の数に応じて、落下防止用ピンの挿入位置を調整することができる。
【００１４】
上記自発光式視線誘導灯において、
前記バッテリーケースの上部に、吊り下げ手段を設ける構成としてもよい。
【００１５】
このものでは、吊り下げ手段を持って上方に引っ張り上げれば、バッテリーケースを支持パイプの上方開放部から引き抜くことができるから、バッテリーケースの取り出し、収納が容易となる。尚、吊り下げ手段としては、紐や把手やつまみ等が採用可能である。
【００１６】
上記自発光式視線誘導灯において、
前記蓄電体を一つずつ収納可能な個別ケースが設けられ、
前記個別ケースは、前記バッテリーケースと同径の樹脂製筒体から構成されていると共に、その軸線に沿って所定幅のスリットが上下両端に開放するように形成されてあり、
上下に位置する前記個別ケースの間には、上段の個別ケースのスリットと下段の個別ケースのスリットを嵌め込むリブを有する区画蓋が設けられる構成としてもよい。
【００１７】
この場合、個別ケースは、両端に開放するスリットが形成されていることから縮径自在であるから、個別ケースを縮径させながら、これと同径のバッテリーケース内に収納することができ、収納後に元の径に復帰することにより、バッテリーケース内での位置が安定的に保持される。また、上下に位置する個別ケース間には区画蓋が設けられているから、複数の個別ケースをバッテリーケース内に順に縦方向に重ねて収納する場合に、下段に位置する個別ケース内の蓄電体に荷重圧力がかからない上に、蓄電体相互の接触が防止できるから、各蓄電体の漏電を防止することができる。さらに、区画蓋に設けられているリブを上段の個別ケースのスリットと下段の個別ケースのスリットに同時に嵌め込むことにより、個別ケース相互がバッテリーケース内で回転することがない。これにより、蓄電体の配線の断線を防止することができる。
【００１８】
例えば、前記区画蓋は、個別ケースに内嵌可能な円盤部と、円盤部の外周面に突設されたＣ字状リブと、Ｃ字状リブの開放端相互において円盤部の軸線方向に延長されて個別ケースのスリットが配置される一対の縦リブと、一対の縦リブ間の円盤部外周面に蓄電体の配線が配置される切欠とを有し、
前記円盤部のうち、Ｃ字状リブより上方の上部に個別ケースの下方開放部が配置され、Ｃ次状リブより下方の下部に下段の個別ケースの上方開放部が配置される構成とすることができる。
【００１９】
上記自発光式視線誘導灯において、
前記蓄電部は、前記バッテリーケースに代えて蓄電体を保持する吊持手段により構成されて前記支持パイプ内に取り出し自在に収納されるようにしてもよい。例えば、前記吊持手段は、コ字状に形成されて蓄電体を配置する蓄電体保持部と、蓄電体保持部の上端に支持パイプの上端又は発光・発電部のベース体に引っ掛けられるフック部とを備える。これにより、ピン孔を設けない支持パイプにおいても蓄電部を支持パイプ内に収納させることができる。
【００２０】
上記自発光式視線誘導灯において、
前記発光・発電部のベース体は、前記支持パイプの外径よりも大径な下方開放のスカート部を有し、前記スカート部の側方から前記スカート部内に挿入され且つ前記支持パイプの外周面を押圧する固定部材が設けられている構成としてもよい。
【００２１】
この場合、固定部材を、スカート部を介して支持パイプの外周面に押圧させることにより、ベース体は支持パイプに抜け止め状態に固定されることとなり、発光・発電部が支持パイプの上端でぐら付いたり、不用意に落下したりすることはない。尚、前記スカート部にネジ孔を設けておき、固定部材としてネジを採用してもよい。
【考案の効果】
【００２２】
以上のように、本考案に係る自発光式視線誘導灯によれば、ベース体を支持パイプの上端から取り外すだけで、蓄電部と分離して発光・発電部を一体的に取り除いて支持パイプの上方を開放することができる。従って、支持パイプ内のバッテリーケースを支持パイプの上方開放部から取り出して、バッテリーケース内の蓄電体の交換や追加を容易に行うことができる。また、蓄電体は支持パイプ内に多段に収納していくだけで蓄電体を容易に追加することができるから、蓄電部における蓄電能力の増強を簡単に行える。このとき、追加する蓄電体を外付けしなくてもよいから、蓄電体を追加しても蓄電部が占めるスペースが大きくなることなく、省スペースでの蓄電体の追加が可能となる。しかも、蓄電体を外付けする場合に比べて外観も良好となる。
【図面の簡単な説明】
【００２３】
【図１】本考案の実施の形態による自発光式視線誘導灯の内部構成を示す断面図である。
【図２】本考案の実施の形態による自発光式視線誘導灯から発光・発電部を取り外し、バッテリーケースを支持パイプから引き出した状態を示す断面図である。
【図３】本考案の実施の形態による自発光式視線誘導灯のバッテリーケースと個別ケースとを示す説明図である。
【図４】個別ケースの区画蓋であり、（Ａ）は平面図、（Ｂ）は側面図である。
【図５】他の実施形態として、吊持部材で蓄電体を保持する態様を示す斜視図である。
【図６】従来の自発光式視線誘導灯を示す断面図である。
【図７】従来の自発光式視線誘導灯の分解斜視図である。
【考案を実施するための形態】
【００２４】
以下に、本考案の実施の形態について説明する。
【００２５】
実施の形態による自発光式視線誘導灯は、図１に示すように、道路の中央分離帯や路肩等に設置される鋼管製の支持パイプ５の上端に取り付けられる発光・発電部１と、支持パイプ５内に収納される蓄電部２とからなり、発光・発電部１には、ＬＥＤ（発光ダイオード）３と、太陽電池４と、ＬＥＤ３の発光パターンや発光の停止及び開始等を制御する制御部（図示せず）からなる内部ユニット４４が備えられてあり、蓄電部２には、太陽電池４により発電した電気を蓄電すると共にＬＥＤ３に給電する蓄電体２５が備えられている。
【００２６】
発光・発電部１は、円筒状のベース体１０の上部に、内部ユニット４４が取り付けられていると共に、この内部ユニット４４を包囲するように、細長い筒状の透明ケース１６が立設されている。この透明ケース１６の上端に蓋板１７が取り付けられ、この蓋板１７にドーム状のトップカバー１８が取り付けられている。
【００２７】
ＬＥＤ３及び太陽電池４は、従来の構成のものと同じものが採用可能であり、ＬＥＤ３は細長い板状のＬＥＤ基板に一直線状に複数個並べて取り付けられてあり、太陽電池４は四角形状の太陽電池セルを細長いパネル板に複数個添設して細長い板状に形成されている。そして、太陽電池４は、太陽電池セルからなる３枚の前記パネル板で三角筒を形成し、その３つの頂部のうち１つの頂部に沿ってＬＥＤ３を並設するＬＥＤ基板を取り付けている。ＬＥＤ３は、図示しない制御部からの制御信号によって点灯又は点滅し、これにより、車両運転者等の視線を誘導する。
【００２８】
ベース体１０は、上面周縁に沿って、上方に凸の凸条１１が形成されてあり、下面周縁には、下方へ延びるスカート状筒部１２が形成されてある。凸条１１の内方には、複数のネジ筒部１３が突設されてあり、このネジ筒部１３の上に基板１９を架設させると共に、ネジ筒部１３に基板１９をネジ止めにより固定する。そして、基板１９に上記内部ユニット４４が取り付けられる。基板１９に内部ユニット４４を取り付けた後に、透明ケース１６を、その下端部が凸条１１の内面に沿うように嵌め込まれる。これにより、透明ケース１６と内部ユニット４４とベース体１０とが一体となった発光・発電部１が構成される。
【００２９】
ベース体１０の下面のスカート状筒部１２の内方には、スカート状筒部１２よりも短い環状垂下片１４が形成されてあり、この環状垂下片１４内に、支持パイプ５の上端が嵌合するように、ベース体１０は支持パイプ５の上端に設置される。スカート状筒部１２のうち、環状垂下片１４よりも下方に延長している所定範囲に、複数のネジ孔１２aが周方向に一定間隔毎に形成されている。このネジ孔１２aに螺合させる固定用ネジ１５は、スカート状筒部１２の内方へ突出するネジ軸の先端部が、締め付けに伴って、支持パイプ５の側面を押圧する長さに設定されている。固定用ネジ１５を締め付けることにより、ベース体１０は、支持パイプ５の上端に固定されることとなり、安定した設置状態を保持することができる。そして、固定用ネジ１５を取り外せば、支持パイプ５は固定用ネジ１５による押圧状態から解除されるから、図２に示すように、ベース体１０は支持パイプ５から取り外すことができる。
【００３０】
上記要領にて、ベース体１０を支持パイプ５の上端から取り外すことにより、支持パイプ５の上方開放部は開放されることとなり、支持パイプ５内に収納されている蓄電部２の上端が露出する。蓄電部２に具備されている蓄電体２５は、例えば、二次電池により構成されている。これにより、蓄電体２５の充電量を多くすることができ、ＬＥＤ３発光の長期安定性を一層確保することができる。なお、この蓄電体２５には、鉛蓄電池、電気二重層コンデンサ、リチウム電池、マンガン電池等の各種の電池が採用可能である。
【００３１】
複数の蓄電体２５は、図２に示すように、個別ケース２０に一つずつ収納されてあり、個別ケース２０は縦に複数並べた状態で、筒状のバッテリーケース２１に収納され、このバッテリーケース２１が支持パイプ５内に収納される。これら個別ケース２０及びバッテリーケース２１は共に樹脂製の筒体とする。バッテリーケース２１の上方開放端には、上蓋２３が嵌め込まれて閉塞されており、この上蓋２３には吊り下げ手段として紐４０が設けられている。上蓋２３はバッテリーケース２１にネジ止めにより抜け止め状態に固定されていることから、紐４０を引き上げれば、支持パイプ５からバッテリーケース２１を上方へ引き出すことができる。尚、バッテリーケース２１の下方開放端には、上記上蓋２３と同形のものが下蓋２４として嵌め込まれてネジ止めされている。これら上蓋２３及び下蓋２４の中央には、挿通孔Ｈが形成されている。
【００３２】
個別ケース２０は、図３に示すように、バッテリーケース２１と同径の筒体であり、その軸線に沿って所定幅のスリット２２が上下両端に開放するように形成されてある。スリット２２は、上端が下端よりも幅広となるように斜めに切り欠かれてあり、個別ケース２０は、このスリット２２により縮径させながら、バッテリーケース２１の上方開放端からバッテリーケース２１内に収納することができる。収納後、個別ケース２０は元の径に弾性復帰することにより、個別ケース２０の外周面はバッテリーケース２１の内周面に密着状態に収納される。
【００３３】
個別ケース２０の上方開放端及び下方開放端には、区画蓋３０が嵌め込まれる。区画蓋３０は、図４の(A)(B)に示すように、個別ケース２０に内嵌可能な円盤部３１と、その外周面の略全周に渡って突設されたＣ字状リブ３２と、Ｃ字状リブ３２の開放端相互を上下に延長させた一対の縦リブ３３とからなり、円盤部３１のうち、Ｃ字状リブ３２よりも上方に位置する上部３１ａには複数のネジ孔３４が外周面に開放するように形成されている。また、Ｃ字状リブ３２の突出幅は、個別ケース２０の肉厚に略一致させてあり、Ｃ字状リブ３２の外径はバッテリーケース２１の内径に略一致させている。
【００３４】
縦リブ３３がスリット２２間に位置するように、円盤部３１の上部３１ａを、個別ケース２０の下方開放部に嵌め込み、個別ケース２０の表面側からネジ孔３４にネジ（図示せず）を螺合させて区画蓋３０を個別ケース２０の下方開放部に固定する。これにより、個別ケース２０は有底の筒体となり、その上方開放部から個別ケース２０内に蓄電体２５を収納することができる。この状態にて、個別ケース２０を縮径させてバッテリーケース２１内に収納させる。バッテリーケース２１の下端には、下蓋２４がネジ止めされているから、個別ケース２０はバッテリーケース２１内に、落下防止状態で収納される。
【００３５】
バッテリーケース２１内に複数の個別ケース２０を収納する場合は、先に収納させた個別ケース２０の上から、下端に区画蓋３０が嵌め込まれ且つ蓄電体２５が収納された他の個別ケース２０を収納する。このとき、先に収納させた下段の個別ケース２０の上方は開放していると共に、その開放端部の一部にはスリット２２が形成されていることから、後で収納する上段の個別ケース２０の底部に具備させた区画蓋３０の縦リブ３３が、下段の個別ケース２０のスリット２２に対応するように、円盤部３１におけるＣ字状リブ３２よりも下方に位置する下部３１ｂを、前記下段の個別ケース２０の上方開放部に嵌め込む。
これにより、上段の個別ケース２０と下段の個別ケース２０との間に、区画蓋３０が介在される態様となると共に、区画蓋３０の円盤部３１の下部３１ｂは下段の個別ケース２０の上方開放端に、上部３２ａは上段の個別ケース２０の下方開放端にそれぞれ同時に嵌め込まれた状態で、複数の個別ケース２０が直列状態に連結することとなる。
【００３６】
上記収納状態にて、上下に位置する個別ケース２０間には区画蓋３０が介在する態様となるから、複数の個別ケース２０をバッテリーケース２１内に順に縦方向に重ねて収納しても、下段に位置する個別ケース２０内の蓄電体２５に荷重圧力がかかることなく、また、蓄電体２５相互の接触が防止できるから、各蓄電体２５の漏電を防止することができる。複数の個別ケース２０は、スリット２２が縦リブ３３に対応していることから、相互に回り止め状態に固定されることとなり、収納時の姿勢を維持することができる。よって、蓄電体２５の配線２６の不用意な断線を防止することができる。尚、配線２６は、一対の縦リブ３３間の切欠３５内を通り、コネクタ５２で上下の蓄電体２５を結線してバッテリーケース２１の上端の上蓋２３の中央の挿通孔Ｈから外部に引き出される（図２、図３を参照。）。
【００３７】
バッテリーケース２１に収納させる個別ケース２０の数に応じて、バッテリーケース２１の長さは自在に設定することができ、また、バッテリーケース２１の長さに応じた支持パイプ５の所定位置に、ピン孔２７が形成されている。ピン孔２７に落下防止用ピン２８を差し込むことにより、バッテリーケース２１は落下防止用ピン２８によって、支持パイプ５内にて落下することなく位置決め状態に固定されることとなる。このピン孔２７は、個別ケース２０の長さを元に、支持パイプ５の軸線に沿って、複数設けられているものとする（図１、図２を参照。）。
【００３８】
上記実施の形態の自発光式視線誘導灯において、蓄電体２５の交換や追加を行いたい場合、まず、スカート状筒部１２に螺合させている固定用ネジ１５の締め付け状態を解除する。これにより、ベース体１０は支持パイプ５の上端にて自由状態となるから、ベース体１０を持ち上げれば発光・発電部１を支持パイプ５から取り外すことができ、発光・発電部１の下方に延長しているコネクタ５１と、蓄電部２の上方に延長しているコネクタ５２との接続を解除すれば、発光・発電部１を支持パイプ５の上端から取り外して、支持パイプ５の上方を開放することができる（図２参照）。そして、支持パイプ５の上方開放部に露出する上蓋２３に具備させた紐４０を引き上げて、バッテリーケース２１を支持パイプ５から引き出す。個別ケース２０をバッテリーケース２１から取り出すには、バッテリーケース２１の上方開放端にネジ止めしてある上蓋２３を取り除き、バッテリーケース２１の上方開放端から個別ケース２０を取り出せばよい。
【００３９】
個別ケース２０内の蓄電体２５を交換した後、上記要領にて、個別ケース２０をバッテリーケース２１に収納し、バッテリーケース２１を支持パイプ５に挿入し、コネクタ５１、５２を接続させた後に、支持パイプ５の上方開放端にベース体１０をネジ止めするだけで、発光・発電部１と蓄電部２とからなる自発光式視線誘導灯の組み付けが完了するから、蓄電体２５の交換作業が容易となる。
【００４０】
また、バッテリーケース２１は樹脂製であるから、所定長さに裁断可能であり、個別ケース２０の増減にも容易に対応でき、バッテリーケース２１の長さに応じた支持パイプ５の所定位置に、落下防止用ピン２８を差し込んでおけばよい。
【００４１】
なお、蓄電体２５が一つだけの場合は、必ずしも個別ケース２０を設ける必要はない。この場合、一つの蓄電体２５をバッテリーケース２１に直接収納させればよい。
【００４２】
また、上記実施形態では、バッテリーケース２１は、支持パイプ５に挿入した落下防止用ピン２８によって支持パイプ５内に収納保持させたが、これに限定されず、例えば、バッテリーケース２１にフック等の係止手段を設け、この係止手段を支持パイプ５の上端又は発光・発電部１のベース体１０に係止させることで、バッテリーケース２１を吊持状態にして支持パイプ５内に収納させるようにしてもよい。これにより、ピン孔２７を設けない支持パイプ５においても蓄電部２を支持パイプ５内に収納させることができる。
（他の実施形態）
他の実施形態として、蓄電部２は、バッテリーケース２１に代えて、図５に示すように、吊持部材（吊持手段）６によって蓄電体２５を保持して支持パイプ５内に取り出し自在に収納させるように構成したものである。これにより、ピン孔２７を設けない支持パイプ５においても蓄電部２を支持パイプ５内に収納させることができる。
【００４３】
吊持部材６としては、例えば、細長い板金を折り曲げ形成したものであって、コ字状に形成した蓄電体保持部６２と、蓄電体保持部６２の上端に支持パイプ５の上端５ａ又は発光・発電部１のベース体１０に引っ掛けるフック部６１とを備える。そして、この吊持部材６は、１個又は複数個の蓄電体２５の高さに応じて長さを自由に設計することができ、例えば、図５（ａ）に示すように、１個の蓄電体２５の高さに対応したものや、図５（ｂ）に示すように、２個の蓄電体２５を積み重ねた高さに対応した長さの吊持部材６Ａとすることができる。
【００４４】
なお、２個の蓄電体２５に対応させる場合は、２個の蓄電体２５の高さに対応した長さの吊持部材６Ａと、１個の蓄電体２５の高さに対応した長さの吊持部材６Ｂとを組み合わせて使用することができる（図５（ｂ）参照。）。この要領で、２個以上の複数個の蓄電体２５を使用する場合に対応させることができる。
【００４５】
また、吊持部材６に蓄電体２５を保持する場合、筒状の熱収縮樹脂などによって蓄電体２５を配置したコ字状の蓄電体保持部６２を包囲して保持するようにしてもよい。これにより、蓄電体２５を吊持部材６に安定して保持させることができる。
【符号の説明】
【００４６】
１・・・発光・発電部
２・・・蓄電部
３・・・ＬＥＤ
４・・・太陽電池
５・・・支持パイプ
６・・・吊持部材（吊持手段）
１０・・ベース体
１５・・固定用ネジ（固定部材）
１６・・透明ケース
２０・・個別ケース
２１・・バッテリーケース
２５・・蓄電体
２８・・落下防止用ピン
３０・・区画蓋
４０・・紐（吊り下げ手段）
４４・・内部ユニット
【図１】
0003172868.tif 000003
【図２】
0003172868.tif 000004
【図３】
0003172868.tif 000005
【図４】
0003172868.tif 000006
【図５】
0003172868.tif 000007
【図６】
0003172868.tif 000008
【図７】
0003172868.tif 000009